(57)【要約】  本発明は、導波路１００から異なる方向に発する、第１のスペクトル分布を有する第１の光１１１及び第２のスペクトル分布を有する第２の光１２１を供給するための導波路を含む照明ユニットであって、第１のスペクトル分布及び第２のスペクトル分布が異なる照明ユニットを提供する。例えば、第１の光１１１及び第２の光１２１は、異なる色温度を有する。
2014532975.tif 000002
【特許請求の範囲】
【請求項１】
照明ユニットであって、（ａ）第１の光出射面、前記第１の光出射面の反対側に構成される第２の光出射面、及びエッジを含む導波路と、（ｂ）光源光で前記導波路を照明し、それによって、内部入力される前記光源光を前記導波路内に供給する光源とを含み、前記照明ユニットは、前記第１の光出射面及び前記第２の光出射面の１つ又は複数において、前記内部入力される光源光の一部が外部出力される光源光として前記導波路から逃げることができるようにし、前記照明ユニットは、更に、（ｃ）前記第１の光出射面に隣接し且つ第１の発光材料光を供給する第１の発光材料、及び前記第２の光出射面に隣接し且つ第２の発光材料光を供給する第２の発光材料の１つ又は複数を含み、前記第１の発光材料及び前記第２の発光材料は、前記外部出力される光源光によって励起可能であり、前記照明ユニットは、動作中、前記第１の光出射面から離れる方向に前記照明ユニットから発する第１の光、及び前記第２の光出射面から離れる方向に前記照明ユニットから発する第２の光を供給し、前記第１の光が、（ｉ）前記外部出力される光源光、並びに（ｉｉ）前記第１の発光材料光及び前記第２の発光材料光の１つ又は複数、の１つ又は複数の寄与を含み、前記第２の光が、（ｉｉｉ）前記外部出力される光源光、並びに（ｉｖ）前記第１の発光材料光及び前記第２の発光材料光の１つ又は複数、の１つ又は複数の寄与を含み、前記第１の光が、第１のスペクトル分布を有し、前記第２の光が、第２のスペクトル分布を有し、前記第１のスペクトル分布及び前記第２のスペクトル分布が異なる、照明ユニット。
【請求項２】
前記第１の光及び前記第２の光が異なる色温度を有する、請求項１に記載の照明ユニット。
【請求項３】
（ａ）前記第１の光出射面が、前記第１の発光材料を含む第１の発光材料層を含み、（ｂ）前記第２の光出射面が、前記第２の発光材料を含む第２の発光材料層を含み、以下の条件、即ち、（１）前記第１の発光材料層及び前記第２の発光材料層は、発光材料が異なること、（２）前記第１の発光材料層及び前記第２の発光材料層は、発光材料分布が異なること、（３）前記第１の発光材料層及び前記第２の発光材料層は、発光材料含有率が異なること、及び（４）前記第１の発光材料層及び前記第２の発光材料層は、層厚さが異なることの１つ又は複数が当てはまる、請求項１又は２に記載の照明ユニット。
【請求項４】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第１の反射器が、前記第１の発光材料光の少なくとも一部を、前記第２の光出射面から離れる方向で前記導波路の外に出力し、前記第２の光出射面が、複数の第２の反射器を含み、前記複数の第２の反射器が、前記第２の光出射面の一部を覆い、且つ前記内部入力される光源光の少なくとも一部を、前記第１の光出射面から離れる方向で、外部出力される光源光として、前記導波路の外に出力する、請求項１乃至３のいずれか一項に記載の照明ユニット。
【請求項５】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第１の反射器が、前記第１の発光材料光の少なくとも一部を、前記第２の光出射面から離れる方向で前記導波路の外に出力し、前記第２の光出射面が、前記第２の発光材料を含む複数の第２の発光材料領域を含み、前記複数の第２の発光材料領域が、前記第２の光出射面の一部を覆い、各第２の発光材料領域の下流には第２の反射器があり、前記第２の発光材料領域が、第２の発光材料光を発生し、前記第２の反射器が、前記第２の発光材料光の少なくとも一部を、前記第１の光出射面から離れる方向で前記導波路の外に出力し、前記第１の光出射面及び第２の光出射面は、それぞれ、第１の発光材料領域及び第２の発光材料領域による被覆率が異なる、請求項１乃至４のいずれか一項に記載の照明ユニット。
【請求項６】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第１の反射器が、前記第１の発光材料光の少なくとも一部を、前記第２の光出射面から離れる方向で前記導波路の外に出力し、前記第２の光出射面が、前記第２の発光材料を含む複数の第２の発光材料領域を含み、前記複数の第２の発光材料領域が、前記第２の光出射面の一部を覆い、各第２の発光材料領域下流には第２の反射器があり、前記第２の発光材料領域が、第２の発光材料光を発生し、前記第２の反射器が、前記第２の発光材料光の少なくとも一部を、前記第１の光出射面から離れる方向で前記導波路の外に出力し、前記第１の発光材料領域及び前記第２の発光材料領域は、発光材料が異なる、請求項１乃至５のいずれか一項に記載の照明ユニット。
【請求項７】
前記第１の光出射面が、複数の第１の反射器を含み、前記複数の第１の反射器が、前記第１の光出射面の一部を覆い、前記第２の光出射面が、前記第２の発光材料を含む第２の発光材料層を含み、前記第２の発光材料層が、前記第２の光出射面を覆い、前記第２の発光材料層が、第２の発光材料光を発生し、前記第１の反射器が、前記内部入力される光源光の少なくとも一部を前記第２の発光材料層に導き、前記第２の光出射面において、外部出力される光源光を供給し、前記第２の発光材料層が、前記外部出力される光源光の一部に対して任意選択的に透過性である、請求項１乃至６のいずれか一項に記載の照明ユニット。
【請求項８】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第２の光出射面が、前記第２の発光材料を含む第２の発光材料層を含み、前記第２の発光材料層が、前記第２の光出射面を覆い、前記第２の発光材料層が、第２の発光材料光を発生し、前記第１の発光材料領域及び前記第１の反射器が、前記第１の発光材料光の少なくとも一部を、前記第２の光出射面から離れる方向で前記導波路の外に出力し、前記第２の発光材料層が、前記第１の発光材料光の少なくとも一部に対して透過性である、請求項１乃至７のいずれか一項に記載の照明ユニット。
【請求項９】
前記第１の光出射面が、複数の第１の反射器を含み、前記複数の第１の反射器が、前記第１の光出射面の一部を覆い、前記照明ユニットが、前記第１の光出射面の下流に構成された前記第１の発光材料を含む第１の発光材料層を更に含み、前記第１の発光材料層が、第１の発光材料光を発生し、前記複数の第１の反射器が、前記第１の光出射面と前記第１の発光材料層との間に構成され、前記第２の光出射面が、複数の第２の反射器を含み、前記複数の第２の反射器が、前記第２の光出射面の一部を覆い、前記第１の反射器が、前記内部入力される光源光の少なくとも一部を、前記第２の光出射面から離れる方向で前記導波路の外に出力し、前記第２の反射器が、前記内部入力される光源光の少なくとも一部を前記第１の発光材料層に導き、前記第１の光出射面において、外部出力される光源光を供給し、前記第１の発光材料層が、前記外部出力される光源光の一部に対して任意選択的に透過性である、請求項１乃至８のいずれか一項に記載の照明ユニット。
【請求項１０】
前記第１の光出射面が、複数の第１の反射器を含み、前記複数の第１の反射器が、前記第１の光出射面の一部を覆い、前記照明ユニットが、前記第１の光出射面の下流に構成された、前記第１の発光材料を含む第１の発光材料層を更に含み、前記第１の発光材料層が、第１の発光材料光を発生し、前記複数の第１の反射器が、前記第１の光出射面と前記第１の発光材料層との間に構成され、前記第２の光出射面が、複数の第２の反射器を含み、前記複数の第２の反射器が、前記第２の光出射面の一部を覆い、前記照明ユニットが、前記第２の光出射面の下流に構成された、前記第２の発光材料を含む第２の発光材料層を更に含み、前記第２の発光材料層が、第２の発光材料光を発生し、前記複数の第２の反射器が、前記第２の光出射面と前記第２の発光材料層との間に構成され、前記第１の反射器が、前記内部入力される光源光の少なくとも一部を前記第２の発光材料層に導き、前記第２の光出射面において、外部出力される光源光を供給し、前記第２の発光材料層が、前記外部出力される光源光の一部に対して任意選択的に透過性であり、前記第２の反射器が、前記内部入力される光源光の少なくとも一部を前記第１の発光材料層に導き、前記第１の光出射面において、外部出力される光源光を供給し、前記第１の発光材料層が、前記外部出力される光源光の一部に対して任意選択的に透過性である、請求項１乃至９のいずれか一項に記載の照明ユニット。
【請求項１１】
前記第１の光出射面が、前記第１の発光材料を含む第１の発光材料層を含み、前記第１の発光材料層が、前記第１の光出射面を覆い、前記第１の発光材料層が、第１の発光材料光を発生し、前記第２の光出射面が、複数の第２の反射器を含み、前記複数の第２の反射器が、前記第２の光出射面の一部を覆い、前記照明ユニットが、前記第２の光出射面の下流に構成された、前記第２の発光材料を含む第２の発光材料層を更に含み、前記第２の発光材料層が、第２の発光材料光を発生し、前記複数の第２の反射器が、前記第２の光出射面と前記第２の発光材料層との間に構成され、前記第２の反射器が、前記内部入力される光源光の少なくとも一部を前記第１の発光材料層に導き、前記第１の光出射面において、外部出力される光源光を供給し、前記第１の発光材料層が、前記外部出力される光源光の一部に対して任意選択的に透過性であり、前記第１の発光材料層が、前記内部入力される光源光の少なくとも一部を前記第２の発光材料層に導き、前記第２の発光材料層が、前記内部入力される光源光の一部に対して任意選択的に透過性である、請求項１乃至１０のいずれか一項に記載の照明ユニット。
【請求項１２】
前記第１の光出射面が、前記第１の発光材料を含む複数の第１の発光材料領域、及び複数の第１の反射器を含み、前記第１の発光材料領域及び前記複数の第１の反射器が、前記第１の光出射面の一部を覆い、前記第２の光出射面が、前記第２の発光材料を含む複数の第２の発光材料領域、及び複数の第２の反射器を含み、前記第２の発光材料領域及び前記複数の第２の反射器が、前記第２の光出射面の一部を覆い、前記照明ユニットが、第１の反射器及び第２の発光材料領域の第１の対を含み、各第１の対に関して、前記第１の反射器及び第２の発光材料領域が、間の前記導波路に対して互いに反対側に構成され、前記照明ユニットが、第２の反射器及び第１の発光材料領域の第２の対を含み、各第２の対に関して、前記第２の反射器及び第１の発光材料領域が、間の前記導波路に対して互いに反対側に構成される、請求項１乃至１１のいずれか一項に記載の照明ユニット。
【請求項１３】
前記第１の光出射面が、前記第１の発光材料を含む複数の第１の発光材料領域を含み、前記複数の第１の発光材料領域が、前記第１の光出射面の一部を覆い、各第１の発光材料領域の下流には第１の反射器があり、前記第１の発光材料領域が、第１の発光材料光を発生し、前記第２の光出射面が、前記第２の発光材料を含む第２の発光材料層を含む切り替え可能な発光層システムを含み、前記切り替え可能な発光層システムが、前記第２の光出射面を覆い、前記切り替え可能な発光層システムの下流には複数の第２の反射器があり、前記複数の第２の反射器が、前記切り替え可能な発光層システムの一部を覆い、前記第２の発光材料層が、第２の発光材料光を発生し、前記第１の発光材料領域及び前記第１の反射器が、前記第１の発光材料光の少なくとも一部を、前記第２の光出射面から離れる方向で前記導波路の外に出力し、前記切り替え可能な発光層システムが、前記第１の発光材料光の少なくとも一部に対して透過性であり、前記切り替え可能な発光層システムが、低強度の前記発光材料光を伴う第１の状態と、高強度の前記発光材料光を伴う第２の状態との間で切り替え可能である、請求項１乃至１２のいずれか一項に記載の照明ユニット。
【請求項１４】
前記光源が発光装置を含み、前記光源光が青色光を含む、請求項１乃至１３のいずれか一項に記載の照明ユニット。
【請求項１５】
異なる方向で導波路から発する、第１のスペクトル分布を有する第１の光及び第２のスペクトル分布を有する第２の光を供給する方法であって、前記第１のスペクトル分布及び第２のスペクトル分布が異なり、請求項１乃至１４のいずれか一項に記載の照明ユニットを提供すること、及び光源光を前記導波路に導入することを含む、方法。
【発明の詳細な説明】
【技術分野】
【０００１】
本発明は、導波路を含む照明ユニット、及び異なるタイプの光を発生するための方法に関する。
【背景技術】
【０００２】
エッジライティング（照明）光導波路及び類似の装置は、当該技術分野において周知である。米国特許出願公開第２０１１０９６５７０号は、例えば、照明ユニットを含む照明装置を説明している。照明ユニットは、光源、及び光源光をコリメートするほぼ平坦な光導波路を含む。光導波路は、入射窓、エッジ窓、第１の光導波路面、第２の光導波路面、第１のサイドエッジ、及び第２のサイドエッジを有する。第１の光導波路面及び第２の光導波路面の１つ又は複数は、複数の溝を含む。このようにして、緯度方向のコリメーションが得られる。
【発明の概要】
【発明が解決しようとする課題】
【０００３】
先行技術のシステムにおける欠点は、それらのシステムが、異なる光学特性を備えた、特に異なる色温度及びＣＩＥ  ｘ、ｙ色点値（１９３１年に国際照明委員会（ＣＩＥ：International Commission on Illumination）によって作成されたＣＩＥ  １９３１  ＸＹＺ色空間）を備えた光ビームを発生できないか、又は容易には発生できないということである。
【課題を解決するための手段】
【０００４】
従って、本発明の一態様は、代替照明ユニット及び／又はかかる照明ユニットを用いる代替方法であって、好ましくは更に、上記で説明された欠点の１つ又は複数を少なくとも部分的に予防する代替照明ユニット及び／又はかかる照明ユニットを用いる代替方法である。
【０００５】
第１の態様において、本発明は、照明ユニットであって、（ａ）第１の光出射面（本明細書ではまた「第１の面」として示される）、第１の光出射面の反対側に構成される第２の光出射面（本明細書ではまた「第２の面」として示される）、及びエッジを含む導波路と、（ｂ）光源光で導波路のエッジをエッジ照明するなど、光源光で導波路を照明し、それによって、内部入力（入力結合）された光源光を供給するように構成された光源と、第１の発光材料、第２の発光材料、複数の第１の反射器、及び複数の第２の反射器の１つ又は複数の組み合わせであって、（照明ユニットの）動作中に、第１の光出射面から離れる方向に照明ユニットから発する第１の光、及び第２の光出射面から離れる方向に照明ユニットから発する第２の光を供給し、第１の光が、第１のスペクトル分布を有し、第２の光が、第２のスペクトル分布を有し、第１のスペクトル分布及び第２のスペクトル分布が異なる組み合わせと、を含む照明ユニットを提供する。
【０００６】
特に、本発明は、照明ユニットであって、（ａ）第１の光出射面、第１の光出射面の反対側に構成された第２の光出射面、及びエッジを含む導波路と、（ｂ）光源光で導波路（例えば、そのエッジ）を照明し、それによって、（内部入力される）光源光を導波路内に供給するように構成された光源とを含み、照明ユニットが、（内部入力される）光源光の一部が第１の光出射面及び第２の光出射面の１つ又は複数において導波路から（外部出力（出力結合）された）光源光として逃げるのを可能にするように更に構成され、照明ユニットが、（ｃ）第１の光出射面に隣接する、且つ第１の発光材料光を供給するように構成される第１の発光材料、及び第２の光出射面に隣接する、且つ第２の発光材料光を供給するように構成される第２の発光材料の１つ又は複数を更に含み、第１の発光材料及び第２の発光材料が、（外部出力される）光源光によって励起可能であり、照明ユニットが、第１の光出射面から離れる方向に照明ユニットから発する第１の光、及び第２の光出射面から離れる方向に照明ユニットから発する第２の光を（動作中に）供給するように構成され、第１の光が、（ｉ）（外部出力される）光源光、並びに（ｉｉ）第１の発光材料光及び第２の発光材料光の１つ又は複数、の１つ又は複数の寄与を含み、第２の光が、（ｉｉｉ）（外部出力される）光源光と、並びに（ｉｖ）第１の発光材料光及び第２の発光材料光の１つ又は複数、の１つ又は複数の寄与を含み、第１の光が、第１のスペクトル分布を有し、第２の光が、第２のスペクトル分布を有し、第１のスペクトル分布及び第２のスペクトル分布が異なる照明ユニットを提供する。
【０００７】
有利なことに、これは、異なるスペクトル分布を有する、異なる方向、特に反対側方向に向けられる２つの異なる光ビームを可能にする。特に、第１の光及び第２の光は、異なる色温度を有しても良い。実施形態において、第１の光及び第２の光はまた、異なるｘ、ｙ色点を有しても良い。光は、色点又は色温度が異なる場合に、光のスペクトル分布は、それ自体が異なる。第１の光及び第２の光の１つ又は複数が、２つ以上の色成分から構成される実施形態において、第１及び第２の光はまた、実施形態において、色成分の色の１つ又は複数における飽和において異なり得る。
【０００８】
導波路又は光導波路は、特に透過性プレートであっても良い。特に、プレートは、有機又は無機材料の塊状の（即ち、非中空の）プレートである。有機材料は、例えば、ＰＥ（ポリエチレン）、ＰＰ（ポリプロピレン）、ＰＥＮ（ポリエチレンナフタレート）、ＰＣ（ポリカーボネート）、ポリアクリル酸メチル（ＰＭＡ）、ポリメチルメタクリレート（ＰＭＭＡ）（Plexiglas又はPerspex）、セルロースアセテートブチレート（ＣＡＢ）、シリコン、ポリ塩化ビニル（ＰＶＣ）、ポリエチレンテレフタレート（ＰＥＴ）、（ＰＥＴＧ）（グリコール変性ポリエチレンテレフタレート）、ＰＤＭＳ（ポリジメチルシロキサン）、及びＣＯＣ（シクロオレフィンコポリマー）からなる群から選択されてもよい。好ましい無機材料は、ガラス、（溶融）石英及びシリコンからなる群から選択される。導波路用の材料として特に好ましいのは、ＰＭＭＡ、透明ＰＶＣ又はガラスである。
【０００９】
特に、導波路は、矩形断面を有する。実施形態において、導波路断面は、矩形プリズム形状を有する。
【００１０】
実施形態において、光源からの光源光は、導波路のエッジを介して導波路内に結合（入力）され、（内部入力される）光源光を導波路内に供給する。更に別の実施形態において、光源からの光源光は、第１の光出射面を介して導波路内に結合される（それによって、第１の光出射面はまた、光内部入力面としての機能を有する）。更に別の実施形態において、光源からの光源光は、第２の光出射面を介して導波路内に結合される（それによって、第２の光出射面はまた、光内部入力面としての機能を有する）。更に別の実施形態において、光源からの光源光は、第１の光出射面、第２の光出射面、及びエッジの２つ以上を介して、導波路内に結合される。一般に少なくとも平行に配置された横エッジ（これらはまた、フロントエッジ及びバックエッジと呼ばれても良い）のように、エッジが複数の面を有し得るので、導波路もまた、フロントエッジ及びバックエッジを介してなど、異なる方向からエッジを照明されても良い。
【００１１】
光源なる用語は、原則として、当該技術分野において周知の任意の光源に関係しても良い。好ましくは、光源は、動作中に２００〜４９０ｎｍの範囲から選択される波長の光を少なくとも放射する光源、特に動作中に４００〜４９０ｎｍの範囲から選択される波長の光を少なくとも放射する光源である。この光は、第１及び／又は第２の発光材料によって部分的に使用されても良い（以下を参照）。特定の実施形態において、光源は、固体ＬＥＤ光源（ＬＥＤ又はレーザダイオードなど）を含む。用語「光源」はまた、２〜２０の（固体）ＬＥＤ光源などの複数の光源に関係しても良い。
【００１２】
本明細書における白色光なる用語は、当業者に周知である。それは、約２０００〜２００００Ｋ、特に２７００〜２００００Ｋ、一般照明用には特に約２７００Ｋ〜６５００Ｋの範囲、バックライティングの目的には特に約７０００Ｋ〜２００００Ｋの範囲の相関色温度（ＣＣＴ：correlated color temperature）を有する、且つ特にＢＢＬ（black body locus：黒体軌跡）から約１５ＳＤＣＭ（standard deviation of color matching：等色標準偏差）以内、特にＢＢＬから約１０ＳＤＣＭ以内、更に一層特別にはＢＢＬから約５ＳＤＣＭ以内の光に特に関係する。
【００１３】
実施形態において、光源、例えば直接蛍光体変換ＬＥＤ（例えば１００００Ｋを得るために蛍光体の薄層を備えた青色発光ダイオード）はまた、約５０００〜２００００Ｋの相関色温度（ＣＣＴ）を有する光源光を提供しても良い。従って、特定の実施形態において、光源は、８０００〜２００００Ｋなど、５０００〜２００００Ｋの範囲、更に一層特別には６０００〜２００００Ｋの範囲における相関色温度を備えた光源光を供給するように構成される。比較的高い色温度の利点は、光源光に比較的高い青色成分が存在し得るということであろう。この青色成分は、第１及び／又は第２の発光材料によって部分的に吸収され、発光材料光に変換され得る。従って、かかる光源光は、励起されるために発光材料によって使用され得る（青紫色及び／又は）青色成分を有する。発光材料によって吸収されない光は、発光材料及び反射器の特定の構成に依存し、第１の光出射面及び第２の光出射面の１つ又は複数を介して、導波路から逃げても良い。任意選択的に、別個の青色光源（固体ＬＥＤなど）が、光源に含まれても良い。
【００１４】
用語「青紫色光」又は「青紫色発光」は、約３８０〜４４０ｎｍの範囲の波長を有する光に特に関係する。用語「青色光」又は「青色発光」は、約４４０〜４９０ｎｍの範囲の波長を有する光（幾らかの青紫色及びシアンの色調を含む）に特に関係する。用語「緑色光」又は「緑色発光」は、約４９０〜５６０ｎｍの範囲の波長を有する光に特に関係する。用語「黄色光」又は「黄色発光」は、約５６０〜５９０ｎｍの範囲の波長を有する光に特に関係する。用語「橙色光」又は「橙色発光」は、約５９０〜６２０ｎｍの範囲の波長を有する光に特に関係する。用語「赤色光」又は「赤色発光」は、約６２０〜７５０ｎｍの範囲の波長を有する光に特に関係する。用語「可視」、「可視光」又は「可視発光」は、約３８０〜７５０ｎｍの範囲の波長を有する光を指す。
【００１５】
導波路内に結合される光源光の少なくとも一部はまた、導波路の外に結合（出力）される（以下を参照）。外部出力される光の少なくとも一部は、第１及び／又は第２の発光材料によって変換されても良い。
【００１６】
第１及び／又は第２の発光材料は、原則として、光源光の少なくとも一部を吸収するのに適した、且つ吸収された光源光の少なくとも一部を（特に可視における）発光に変換できる任意の発光材料であっても良い。特に、第１及び／又は第２の発光材料は、光源光（光源光が青色光成分を含むと仮定する）の青色部分の少なくとも一部を吸収するように構成される。
【００１７】
例えば、無機発光材料の例は、例えば２．１若しくは３．３のＹＡＧ：Ｃｅ分子比でセリウム（Ｃｅ）をドープされたイットリウムアルミニウムガーネット（ＹＡＧ）、又はセリウムをドープされたルテチウムアルミニウムガーネット（ＬｕＡＧ）（同様の分子比においてなど）を含む。適切な無機発光材料の特定の例は、例えばＹ３Ａｌ５Ｏ１２：Ｃｅ３＋、Ｙ２ＬｕＡｌ５Ｏ１２：Ｃｅ３＋、ＹＧｄＴｂＡｌ５Ｏ１２：Ｃｅ３＋、Ｙ２．５Ｌｕ０．５Ａｌ５Ｏ１２：Ｃｅ３＋、（Ｓｒ，Ｂａ，Ｃａ）２ＳｉＯ４：Ｅｕ２＋、（Ｓｒ，Ｃａ，Ｂａ）Ｓｉ２Ｏ２Ｎ２：Ｅｕ２＋、（Ｃａ，Ｓｒ，Ｂａ）Ｇａ２Ｓ４：Ｅｕ２＋、（Ｃａ，Ｓｒ，Ｂａ）２Ｓｉ５Ｎ８：Ｅｕ２＋等である。他の青色光励起可能発光材料が、同様に適用されても良い。
【００１８】
代替又は追加として、第１及び／又は第２の発光材料は、埋め込み有機発光材料を含む。適切な有機発光材料の例は、ペリレン誘導体、例えば、Ｆ２４０（橙色）、Ｆ３０５（赤色）、Ｆ０８３（黄色）、Ｆ１７０（黄色）などのBASF Lumogen（登録商標）、又はかかる発光材料の２つ以上の組み合わせを含む。従って、実施形態において、第１及び／又は第２の発光材料は、前述のペリレン誘導体の１つ又は複数などのペリレン発光材料を含む。かかる発光材料は、上記又は下記に示されている透明材料の１つ又は複数などの透明材料に埋め込まれても良い。
【００１９】
特定の実施形態において、第１及び／又は第２の発光材料は、発光量子ドットを含む。かかる発光材料は、（当該技術分野において周知のように粒径に依存する）発光帯の調整性という利点を有する。更に、かかるシステムは、飽和発光色を提供し得る。可視領域の発光を伴う最も知られている量子ドットは、硫化カドミウム（ＣｄＳ）及び／又は硫化亜鉛（ＺｎＳ）シェルなどのシェルを備えたセレン化カドミウム（ＣｄＳｅ）に基づいている。リン化インジウム（ＩｎＰ）、銅インジウム硫化物（ＣｕＩｎＳ２）及び／又は銀インジウム硫化物（ＡｇＩｎＳ２）など、カドミウムのない量子ドットもまた使用され得る。かかる発光材料は、上記又は下記に示されている透明材料の１つ又は複数などの透明材料に埋め込まれても良い。
【００２０】
更に別の実施形態において、第１及び／又は第２の発光材料は、埋め込み微粒子無機発光材料を含む。代替又は追加として、第１及び／又は第２の発光材料は、埋め込み微粒子有機発光材料を含む。これらの粒子は、有機プレートなどの有機層（支持体）に埋め込まれても良い。上記又は下記に示されている透明材料の１つ又は複数などの透明材料が適用されても良い。
【００２１】
発光粒子が埋め込まれ得るかかる支持体の例は、ＰＥ（ポリエチレン）、ＰＰ（ポリプロピレン）、ＰＥＮ（ポリエチレンナフタレート）、ＰＣ（ポリカーボネート）、ポリアクリル酸メチル（ＰＭＡ）、ポリメチルメタクリレート（ＰＭＭＡ）（Plexiglas又はPerspex）、セルロースアセテートブチレート（ＣＡＢ）、シリコン、ポリ塩化ビニル（ＰＶＣ）、ポリエチレンテレフタレート（ＰＥＴ）、（ＰＥＴＧ）（グリコール変性ポリエチレンテレフタレート）、ＰＤＭＳ（ポリジメチルシロキサン）、及びＣＯＣ（シクロオレフィンコポリマー）からなる群から選択されるなどの透明有機材料支持体である。しかしながら、別の実施形態において、支持体は、無機材料を含んでも良い。好ましい無機材料は、ガラス、（溶融）石英、透過セラミック材料、及びシリコンからなる群から選択される。支持体用の材料として特に好ましいのは、ＰＭＭＡ、透明ＰＶＣ、又はガラスである。
【００２２】
上記で示されているように、第１の発光材料及び第２の発光材料は、（外部出力される）光源光によって励起可能である。２つ（以上）の異なる発光材料が存在する場合に、任意選択的に１つの発光材料が、もう一方の発光材料の発光によって励起されても良い。従って、第１の発光材料及び第２の発光材料の両方が照明ユニットによって含まれる実施形態において、第１の発光材料及び第２の発光材料の少なくとも１つは、（外部出力される）光源光によって励起可能であり、もう一方の発光材料（単複）は、（外部出力される）光源光及び（外部出力される）光源光によって少なくとも励起可能な発光材料の発光のいずれか１つ又は複数によって励起可能であっても良い。例えばＳｒ２Ｓｉ５Ｎ８：Ｅｕ２＋は、両方とも、光源としての青色ＬＥＤによって、且つＹＡＧ：Ｃｅ３＋からの発光によって励起可能であり得る。
【００２３】
照明ユニットは、第１の発光材料、第２の発光材料、又は第１及び第２の発光材料の両方を含んでも良い。発光材料なる用語はまた、異なる発光材料の組み合わせに関係しても良い。用語「第１の発光材料」及び「第２の発光材料」は、第１の光出射面及び第２の光出射面にそれぞれ隣接する発光材料間を区別するために用いられる。実施形態において、それらの発光材料は、同一であっても良い（しかし実施形態において、第１の出射面及び第２の出射面上に異なって分配されても良い。下記もまた参照）。更に別の実施形態において、それらの発光材料は、異なる（即ち、異なるＣＩＥ  ｘ、ｙなど、異なる光学特性を有する。上記もまた参照）。
【００２４】
第１及び／又は第２の発光材料は、導波路の外部にある。本明細書において、発光材料（単複）が、第１又は第２の光出射面に隣接することが示されている。実施形態において、発光材料、又は発光材料を含む少なくとも層若しくは領域は、第１又は第２の光出射面と物理的に接触する。更に別の実施形態において、発光材料と第１又は第２の光出射面との間に、反射器などの光学素子が配置されても良い。かかる反射器は、第１及び／又は第２の光出射面における特定の位置で、光源光の外部出力をブロックするために使用されても良い（下記もまた参照）。従って、第１の反射器（該当する場合に）は、第１の光出射面に隣接しても良い。従って、同様に、第２の反射器（該当する場合に）は、第２の光出射面に隣接しても良い。
【００２５】
一般に、第１若しくは第２の発光材料とそれぞれの第１若しくは第２の光出射面との間の最短距離、又は発光材料を含む層若しくは領域とそれぞれの第１若しくは第２の光出射面との間の少なくとも最短距離は、０〜１５ｍｍ、特に０〜５ｍｍの範囲である。従って、本明細書で、用語「隣接する」が、適用されている。発光材料又は発光材料を含む少なくとも層若しくは領域とそれぞれの面との間の距離は、一般に５ｍｍ以下、例えば２ｍｍ以下、同様に１ｍｍ以下などである。同じことは、発光材料領域が光出射面と反射器との間にある場合にも当てはまり得る。
【００２６】
説明され請求される実施形態のほとんどにおいて、第１の光出射面及び／又は第２の光出射面は、複数の反射器を含み、複数の反射器は、それぞれ第１の光出射面及び／又は第２の光出射面全体は覆わない。特に、複数の反射器は、拡散反射であっても良い。これは、第１の反射器及び第２の反射器の両方に当てはまり得る。以下で更に説明される多くの実施形態において、第１の光出射面１１０における第１の発光材料領域及び第１の反射器の被覆率は、例えば、１〜５０％など、表面面積の０．１〜７５％の範囲であっても良い。第２の光出射面における第２の発光材料領域及び第２の反射器の被覆率は、例えば、１〜５０％など、表面面積の０．１〜７５％の範囲であっても良い。これらの条件はまた、第１の反射器だけ又は第１の発光材料領域だけが第１の光出射面に隣接して存在する場合等に当てはまり得る。第１の反射器、第２の反射器、第１の発光材料領域、及び第２の発光材料領域は、例えば０．１ｍｍ２ほどの小ささから例えば１００ｃｍ２までであっても良い。
【００２７】
本明細書において、異なる方向における光が、異なるスペクトル分布をどのように提供され得るかの幾つかの選択肢がリストされる。下記もまた参照されたい。実施形態において、（ａ）第１の光出射面が、第１の発光材料を含む第１の発光材料層を含むこと、及び（ｂ）第２の光出射面が、第２の発光材料を含む第２の発光材料層を含むことの１つ又は複数と、以下の条件、即ち、第１の発光材料層及び第２の発光材料層は、発光材料が異なること、第１の発光材料層及び第２の発光材料層は、発光材料分布が異なること、第１の発光材料層及び第２の発光材料層は、発光材料含有率が異なること、並びに第１の発光材料層及び第２の発光材料層は、層厚さが異なることの１つ又は複数と、が当てはまる。
【００２８】
上記で示されているように、照明ユニットは、動作中に、照明ユニットから発する第１の光を第１の光出射面から離れる方向に供給するように、且つ照明ユニットから発する第２の光を第２の光出射面から離れる方向に供給するように構成され、第１の光は、（ｉ）（外部出力される）光源光、並びに（ｉｉ）第１の発光材料光及び第２の発光材料光の１つ又は複数、の１つ又は複数の寄与を含み、第２の光は、（ｉｉｉ）（外部出力される）光源光、並びに（ｉｖ）第１の発光材料光及び第２の発光材料光の１つ又は複数、の１つ又は複数の寄与を含み、第１の光は、第１のスペクトル分布を有し、第２の光は、第２のスペクトル分布を有し、第１のスペクトル分布及び第２のスペクトル分布は異なる。
【００２９】
発光材料（単複）、反射器（以下を参照）、発光材料（単複）のパターニング等の存在故に、異なるタイプの光が、導波路から反対方向に発し得る。第１及び第２の光出射面から離れる方向に導波路から発する光は、（外部出力される）光源光、第１の発光材料光、及び第２の発光材料光の（異なる比率における）寄与を含み得る。この理由で、第１の光が、（ｉ）（外部出力される）光源光、並びに（ｉｉ）第１の発光材料光及び第２の発光材料光の１つ又は複数、の１つ又は複数の寄与を含み、第２の光が、（ｉｉｉ）（外部出力される）光源光、並びに（ｉｖ）第１の発光材料光及び第２の発光材料光の１つ又は複数、の１つ又は複数の寄与を含むことが示されている。
【００３０】
例えば、実施形態において、第１の光は、（外部出力される）光源光及び第２の発光材料光を含み、例えば白色光を供給し、第２の光は、第１の発光材料光だけを含み、例えば黄色光を供給する。このように、照明ユニットの動作中に、白色光（例えばダウン照明）及び黄色光（例えば天井を照明するためのアップ照明）を供給する照明ユニットが提供され得る。
【００３１】
従って、本発明は、導波路を含む照明ユニットであって、光が、導波路の反対部分から反対方向に発し得て、導波路から離れる反対方向に移動する光が、異なる相関色温度などの異なるスペクトル分布を有する照明ユニットを提供する。
【００３２】
実施形態において、本発明は、上記で説明されたような照明ユニットであって、第１の光出射面が、第１の発光材料を含む複数の第１の発光材料領域を含み、複数の第１の発光材料領域が、第１の光出射面の一部を覆い、各第１の発光材料領域の下流に第１の反射器があり、第１の発光材料領域が、第１の発光材料光を発生するように構成され、第１の反射器が、第１の発光材料光の少なくとも一部を、第２の光出射面から離れる方向で導波路の外に出力するように構成され、第２の光出射面が、複数の第２の反射器を含み、複数の第２の反射器が、第２の光出射面の一部を覆い、且つ（内部入力される）光源光の少なくとも一部を第１の光出射面から離れる方向で、（外部出力される）光源光として導波路の外に出力するように構成される照明ユニットを提供する。
【００３３】
実施形態において、本発明は、上記で説明されたような照明ユニットであって、第１の光出射面が、第１の発光材料を含む複数の第１の発光材料領域を含み、複数の第１の発光材料領域が、第１の光出射面の一部を覆い、各第１の発光材料領域の下流に第１の反射器があり、第１の発光材料領域が、第１の発光材料光を発生するように構成され、第１の反射器が、第１の発光材料光の少なくとも一部を、第２の光出射面から離れる方向で導波路の外に出力するように構成され、第２の光出射面が、第２の発光材料を含む複数の第２の発光材料領域を含み、複数の第２の発光材料領域が、第２の光出射面の一部を覆い、各第２の発光材料領域の下流に第２の反射器があり、第２の発光材料領域が、第２の発光材料光を発生するように構成され、第２の反射器が、第２の発光材料光の少なくとも一部を、第１の光出射面から離れる方向で導波路の外に出力するように構成され、第１の光出射面及び第２の光出射面は、それぞれ、第１の発光材料領域及び第２の発光材料領域による被覆率が異なる照明ユニットを提供する。
【００３４】
実施形態において、本発明は、上記で説明されたような照明ユニットであって、第１の光出射面が、第１の発光材料を含む複数の第１の発光材料領域を含み、複数の第１の発光材料領域が、第１の光出射面の一部を覆い、各第１の発光材料領域の下流には第１の反射器があり、第１の発光材料領域が、第１の発光材料光を発生するように構成され、第１の反射器が、第１の発光材料光の少なくとも一部を、第２の光出射面から離れる方向で導波路の外に出力するように構成され、第２の光出射面が、第２の発光材料を含む複数の第２の発光材料領域を含み、複数の第２の発光材料領域が、第２の光出射面の一部を覆い、各第２の発光材料領域下流には第２の反射器があり、第２の発光材料領域が、第２の発光材料光を発生するように構成され、第２の反射器が、第２の発光材料光の少なくとも一部を、第１の光出射面から離れる方向で導波路の外に出力するように構成され、第１の発光材料領域及び第２の発光材料領域は、発光材料が異なる照明ユニットを提供する。
【００３５】
実施形態において、本発明は、上記で説明されたような照明ユニットであって、第１の光出射面が、複数の第１の反射器を含み、複数の第１の反射器が、第１の光出射面の一部を覆い、第２の光出射面が、第２の発光材料を含む第２の発光材料層を含み、第２の発光材料層が、第２の光出射面を覆い、第２の発光材料層が、第２の発光材料光を発生するように構成され、第１の反射器が、（内部入力される）光源光の少なくとも一部を第２の発光材料層に導くように、且つ（外部出力される）光源光を第２の光出射面において供給するように構成され、第２の発光材料層が、（外部出力される）光源光の一部に対して任意選択的に透過性である照明ユニットを提供する。
【００３６】
実施形態において、本発明は、上記で説明されたような照明ユニットであって、第１の光出射面が、第１の発光材料を含む複数の第１の発光材料領域を含み、複数の第１の発光材料領域が、第１の光出射面の一部を覆い、各第１の発光材料領域の下流には第１の反射器があり、第１の発光材料領域が、第１の発光材料光を発生するように構成され、第２の光出射面が、第２の発光材料を含む第２の発光材料層を含み、第２の発光材料層が、第２の光出射面を覆い、第２の発光材料層が、第２の発光材料光を発生するように構成され、第１の発光材料領域及び第１の反射器が、第１の発光材料光の少なくとも一部を、第２の光出射面から離れる方向で導波路の外に出力するように構成され、第２の発光材料層が、第１の発光材料光の少なくとも一部に対して透過性である照明ユニットを提供する。
【００３７】
実施形態において、本発明は、上記で説明されたような照明ユニットであって、第１の光出射面が、複数の第１の反射器を含み、複数の第１の反射器が、第１の光出射面の一部を覆い、照明ユニットが、第１の光出射面の下流に構成された、第１の発光材料を含む第１の発光材料層を更に含み、第１の発光材料層が、第１の発光材料光を発生するように構成され、複数の第１の反射器が、第１の光出射面と第１の発光材料層との間に構成され、第２の光出射面が、複数の第２の反射器を含み、複数の第２の反射器が、第２の光出射面の一部を覆い、第１の反射器が、（内部入力される）光源光の少なくとも一部を、第２の光出射面から離れる方向で導波路の外に出力するように構成され、第２の反射器が、（内部入力される）光源光の少なくとも一部を第１の発光材料層に導くように、且つ（外部出力される）光源光を第１の光出射面において供給するように構成され、第１の発光材料層が、（外部出力される）光源光の一部に対して任意選択的に透過性である照明ユニットを提供する。
【００３８】
実施形態において、本発明は、上記で説明されたような照明ユニットであって、第１の光出射面が、複数の第１の反射器を含み、複数の第１の反射器が、第１の光出射面の一部を覆い、照明ユニットが、第１の光出射面の下流に構成された、第１の発光材料を含む第１の発光材料層を更に含み、第１の発光材料層が、第１の発光材料光を発生するように構成され、複数の第１の反射器が、第１の光出射面と第１の発光材料層との間に構成され、第２の光出射面が、複数の第２の反射器を含み、複数の第２の反射器が、第２の光出射面の一部を覆い、照明ユニットが、第２の光出射面の下流に構成された、第２の発光材料を含む第１の発光材料層を更に含み、第２の発光材料層が、第２の発光材料光を発生するように構成され、複数の第２の反射器が、第２の光出射面と第２の発光材料層との間に構成され、第１の反射器が、（内部入力される）光源光の少なくとも一部を第２の発光材料層に導くように、且つ第２の光出射面において、（外部出力される）光源光を供給するように構成され、第２の発光材料層が、（外部出力される）光源光の一部に対して任意選択的に透過性であり、第２の反射器が、（内部入力される）光源光の少なくとも一部を第１の発光材料層に導くように、且つ（外部出力される）光源光を第１の光出射面において供給するように構成され、第１の発光材料層が、（外部出力される）光源光の一部に対して任意選択的に透過性である照明ユニットを提供する。
【００３９】
実施形態において、本発明は、上記で説明されたような照明ユニットであって、第１の光出射面が、第１の発光材料を含む第１の発光材料層を含み、第１の発光材料層が、第１の光出射面を覆い、第１の発光材料層が、第１の発光材料光を発生するように構成され、第２の光出射面が、複数の第２の反射器を含み、複数の第２の反射器が、第２の光出射面の一部を覆い、照明ユニットが、第２の光出射面の下流に構成された、第２の発光材料を含む第２の発光材料層を更に含み、第２の発光材料層が、第２の発光材料光を発生するように構成され、複数の第２の反射器が、第２の光出射面と第２の発光材料層との間に構成され、第２の反射器が、（内部入力される）光源光の少なくとも一部を第１の発光材料層に導くように、且つ（外部出力される）光源光を第１の光出射面において供給するように構成され、第１の発光材料層が、（外部出力される）光源光の一部に対して任意選択的に透過性であり、第１の発光材料層が、（内部入力される）光源光の少なくとも一部を第２の発光材料層に導くように構成され、第２の発光材料層が、（内部入力される）光源光の一部に対して任意選択的に透過性である照明ユニットを提供する。
【００４０】
実施形態において、本発明は、上記で説明されたような照明ユニットであって、第１の光出射面が、第１の発光材料を含む複数の第１の発光材料領域、及び複数の第１の反射器を含み、第１の発光材料領域及び複数の第１の反射器が、第１の光出射面の一部を覆い、第２の光出射面が、第２の発光材料を含む複数の第２の発光材料領域、及び複数の第２の反射器を含み、第２の発光材料領域及び複数の第２の反射器が、第２の光出射面の一部を覆い、照明ユニットが、第１の反射器及び第２の発光材料領域の第１の対を含み、各第１の対に関して、第１の反射器及び第２の発光材料領域が、中間の導波路に対して互いに反対側に構成され、照明ユニットが、第２の反射器及び第１の発光材料領域の第２の対を含み、各第２の対に関して、第２の反射器及び第１の発光材料領域が、中間の導波路に対して互いに反対側に構成される照明ユニットを提供する。
【００４１】
実施形態において、本発明は、上記で説明されたような照明ユニットであって、第１の光出射面が、第１の発光材料を含む複数の第１の発光材料領域を含み、複数の第１の発光材料領域が、第１の光出射面の一部を覆い、各第１の発光材料領域の下流には第１の反射器があり、第１の発光材料領域が、第１の発光材料光を発生するように構成され、第２の光出射面が、第２の発光材料を含む複数の第２の発光材料層を含む切り替え可能な発光層システムを含み、切り替え可能な発光層システムが、第２の光出射面を覆い、切り替え可能な発光層システムの下流には複数の第２の反射器があり、複数の第２の反射器が、切り替え可能な発光層システムの一部を覆い、第２の発光材料層が、第２の発光材料光を発生するように構成され、第１の発光材料領域及び第１の反射器が、第１の発光材料光の少なくとも一部を、第２の光出射面から離れる方向で導波路の外に出力するように構成され、切り替え可能な発光層システムが、第１の発光材料光の少なくとも一部に対して透過性であり、切り替え可能な発光層システムが、低強度の発光材料光を伴う第１の状態と、高強度の発光材料光を伴う第２の状態との間で切り替え可能である照明ユニットを提供する。
【００４２】
実施形態において、本発明は、上記で説明されたような照明ユニットであって、光源が発光装置を含み、光源光が青色光を含む照明ユニットを提供する。任意選択的に、光源は、白色光を供給するように構成されても良く、白色光は、青色光（青色光成分）を含む。青色光は、青色光によって励起され得るように構成される第１の発光材料及び／又は第２の発光材料（該当する場合）を適用する場合に、第１の発光材料及び／又は第２の発光材料（該当する場合）を励起するために使用されても良い。
【００４３】
更なる態様において、本発明は、異なる方向で導波路から発する、第１のスペクトル分布を有する第１の光及び第２のスペクトル分布を有する第２の光を供給し、第１のスペクトル分布及び第２のスペクトル分布が異なる方法であって、本明細書で定義されるような照明ユニットを提供すること、及び（例えばエッジを介して）光源光を導波路に導入する（即ち、光源光を導波路内に結合して、内部入力される光源光を供給する）ことを含む方法を提供する。内部入力される光源光の一部は、導波路から逃げ、第１の発光材料及び第２の発光材料の１つ又は複数を励起する。
【００４４】
用語「上流」及び「下流」は、光発生手段（ここでは特に第１の光源）からの光の伝搬に関連するアイテム又は機構の配置に関係し、光発生手段からの光ビーム内の第１の位置に対して、光発生手段により近い光ビーム内の第２の位置が「上流」であり、光発生手段から更に離れた光ビーム内の第３の位置が「下流」である。
【００４５】
本明細書において、「実質的に全ての発光」又は「から実質的になる」などの用語「実質的に」は、当業者によって理解されよう。用語「実質的に」はまた、「全体的に」、「完全に」、「全ての」等の用語を用いる実施形態を含んでも良い。従って、実施形態において、形容詞が、実質的に取り除かれても良い。該当する場合に、用語「実質的に」は、９０％以上、例えば９５％以上、特に９９％以上、更に一層特別には９９．５％以上であり、１００％を含んでも良い。用語「含む」はまた、用語「含む」が「からなる」を意味する実施形態を含む。
【００４６】
更に、この記載及び特許請求の範囲における用語「第１の」、「第２の」、「第３の」等は、類似する要素間を区別するために用いられ、必ずしも順序又は時系列を説明するものではない。そのように用いられる用語が、適切な状況下で交換可能であること、及び本明細書に記載される本発明の実施形態が、本明細書で説明され例示される以外の順序で動作できることが理解されるべきである。
【００４７】
本明細書における装置又は機器は、とりわけ動作中に説明される。当業者には明らかなように、本発明は、動作方法又は動作中の装置に限定されない。
【００４８】
上記で言及された実施形態が、本発明を限定するのではなく例示すること、及び当業者が、添付の特許請求の範囲から逸脱せずに多くの代替実施形態を設計できることが留意されるべきである。特許請求の範囲において、括弧内に配置されたどんな参照符号も、請求項を限定するものとして解釈されないものとする。動詞「含む」及びその語形変化の使用は、請求項において述べられたもの以外の要素又はステップの存在を排除しない。要素に先行する冠詞「ａ」又は「ａｎ」は、複数のかかる要素の存在を排除しない。本発明は、幾つかの別個の要素を含むハードウェアによって、且つ適切にプログラムされたコンピュータによって実施されても良い。幾つかの手段を列挙する装置請求項において、これら手段の幾つかは、全く同一のハードウェアアイテムによって具体化されても良い。ある手段が、相互に異なる従属請求項に挙げられているという単なる事実は、これら手段の組み合わせが有利に使用され得ないことを意味しない。
【００４９】
本発明は、この記載において説明され、且つ／又は添付の図面に示されている特徴的な機構の１つ又は複数を含む機器又は装置に更に当てはまる。本発明は、更に、この記載において説明され、且つ／又は添付の図面に示されている特徴的な機構の１つ又は複数を含む方法又はプロセスに関係する。
【００５０】
この特許で論じられる様々な態様は、追加の利点を提供するために組み合わされ得る。更に、機構の幾つかは、１つ又は複数の分割出願の基礎を形成することができる。
【００５１】
ここで、本発明の実施形態が、添付の概略図に関連して、単に例としてのみ説明され、概略図において、対応する参照符号は対応する部分を示す。
【図面の簡単な説明】
【００５２】
【図１】照明ユニットの実施形態を概略的に示す。
【図２ａ】導波路の実施形態を概略的に示す。
【図２ｂ】導波路の実施形態を概略的に示す。
【図２ｃ】導波路の実施形態を概略的に示す。
【図３ａ】本明細書でより詳細に説明されるような照明ユニットの実施形態を概略的に示す。
【図３ｂ】本明細書でより詳細に説明されるような照明ユニットの実施形態を概略的に示す。
【図３ｃ】本明細書でより詳細に説明されるような照明ユニットの実施形態を概略的に示す。
【図３ｄ】本明細書でより詳細に説明されるような照明ユニットの実施形態を概略的に示す。
【図３ｅ】本明細書でより詳細に説明されるような照明ユニットの実施形態を概略的に示す。
【図３ｆ】本明細書でより詳細に説明されるような照明ユニットの実施形態を概略的に示す。
【図３ｇ】本明細書でより詳細に説明されるような照明ユニットの実施形態を概略的に示す。
【図３ｈ】本明細書でより詳細に説明されるような照明ユニットの実施形態を概略的に示す。
【図３ｉ】本明細書でより詳細に説明されるような照明ユニットの実施形態を概略的に示す。
【図３ｊ】本明細書でより詳細に説明されるような照明ユニットの実施形態を概略的に示す。
【図３ｋ】本明細書でより詳細に説明されるような照明ユニットの実施形態を概略的に示す。
【図３ｌ】本明細書でより詳細に説明されるような照明ユニットの実施形態を概略的に示す。
【００５３】
図面は、必ずしも縮尺通りではない。
【発明を実施するための形態】
【００５４】
図１は、参照符号１で示された照明ユニットの実施形態を概略的に示す。照明ユニットは、第１の光出射面１１０、ここでは底面又は下部面、及び第２の光出射面１２０、ここでは上面又は上部面を備えた導波路１００を含む。動作中、光は、２つの反対方向、即ち、第１の光１１１で示された、第１の光出射面１１０から離れる方向、及び第２の光１２１で示された、第２の光出射面１２０から離れる方向に逃げる。例えば、第１の光１１１は、第２の光１２１より高い色温度を有しても良い。
【００５５】
図２ａ〜２ｂは、導波路の非限定的な数の実施形態を概略的に示す。他の変形形態が、同様に可能であり得る。導波路１００は、第１の光出射面１１０、及び第１の光出射面の反対側の第２の光出射面１２０を有する。実施形態において、反対側は、一面への垂線がまた、他面への垂線であることを意味しても良い。更に、導波路１００は、エッジ１３０を有し、エッジ１３０は、第１の面１１０及び第２の面１２０を橋渡しする。導波路１００（エッジ１３０）は、高さＨを有する。更に、導波路１００は、長さＬ及び幅Ｗを有する。特に、比率は、Ｈ／Ｌ＜１且つ／又はＨ／Ｗ＜０．１である。更に、好ましくは、比率は、Ｈ／Ｗ＜１である。特定の実施形態において、比率は、それぞれ、０．００１〜０．１及び０．００１〜０．５の範囲など、Ｈ／Ｌ＜０．１且つ／又はＨ／Ｗ＜０．１である。好ましくは、高さＨは、０．１ｍｍ〜１０ｍｍの範囲である。
【００５６】
特に、図２ａに概略的に示されているように、導波路は、平行長手方向面（上面及び正面と呼ばれても良いが、しかし本明細書では更に第１の光出射面及び第２の光出射面として示される）、平行長手方向エッジ（またサイドエッジと呼ばれても良い）、及び平行横エッジ（またフロント及びバックエッジと呼ばれても良い）を備えた矩形断面を有する。従って、実施形態において、導波路１００は、矩形プリズム形状を有する。しかしながら、それらの面及びエッジの１つ又は複数は、湾曲されても良い。実施形態において、導波路は、正方形であっても良い。更に別の実施形態において、導波路は、円形状を有する。
【００５７】
本明細書において、導波路は、更に、第１の光出射面１１０、第１の光出射面１１０の反対側に構成された第２の光出射面１２０、及びエッジ１３０を有するように示されている。エッジ１３０は、光源光の光の光内部入力用に使用される（以下を参照）。
【００５８】
特定の実施形態において、第１の光出射面１１０及び第２の光出射面１２０は、（長手方向）エッジにおいて互いの方へ曲げられて湾曲されるが、それは、図２ｂに概略的に示されているように、非常に薄い（長手方向）エッジに帰着し得る。図２ｂに示されている以外の更なる又は他の曲率もまた、可能であり得る。
【００５９】
特に、導波路１００は、１つ又は複数の対称面（図示されず）を含んでも良い。
【００６０】
図２ｃは、光がどのように移動可能かを概略的に示す。内部入力される光源光１２は、外部出力される光源光１３として、導波路１００から逃げても良い。それは、例えば部分的に、発光材料によって吸収されるか、又は反射器によって反射される（又は第１の光若しくは第２の光を供給するために逃げる）可能性がある。ここで、例として、外部出力される光源光１３は、第２の発光材料領域２４２に当たる（以下もまた参照）。第２の発光材料領域と導波路の第２の出射面１２０との間の距離がゼロである場合にさえ、光源光１３は、導波路１００から逃げ、発光材料光（それは導波路に入っても良い）を生成する可能性がある。同様に、これは、外部出力される光源光１３が、第１の材料領域１４２、第１の反射器１５１、又は第２の反射器１５２等に出会う場合に当てはまり得る。
【００６１】
図３ａ〜３ｌは、照明ユニット１の実施形態を概略的に示す。照明ユニット１は、導波路１００、光源１０、並びに第１の発光材料１４及び第２の発光材料２４の１つ又は複数を含む。導波路１００は、第１の光出射面１１０、第１の光出射面１１０の反対側に構成された第２の光出射面１２０、及びエッジ１３０を含む。光源１０は、光源光１１で導波路１００を照明し、それによって、（内部入力される）光源光１２を導波路１００内に供給するように構成される。
【００６２】
図３ａ〜３ｋは、光源が、光源光１１で導波路１００のエッジ１３０をエッジ照明するように構成される実施形態を示す。図３ｌは、光源１０が、光源光１１で導波路１００の第２の出射面１２０を照明し、それによって、（内部入力される）光源光１２を導波路１００内に供給するように構成される実施形態を示す。原則として、図３ａ〜３ｋに概略的に示されている実施形態のいずれもが、代替又は追加として、第１の光出射面１１０及び第２の光出射面１２０（並びにまた任意選択的にエッジ１３０）の１つ又は複数を照明するように構成された光源１０を含んでも良いことに留意されたい。図３ａ〜３ｋは、１つのエッジ１３０（ここではフロントエッジ）だけが照明される実施形態を示す。しかしながら、反対側エッジ（バックエッジ）もまた、光源光１１で照明されても良い。追加又は代替として、長手方向エッジ又はサイドエッジの１つ又は複数がまた照明されても良い。光源１０は、（少なくとも）青色光を供給するように特に構成される。例えば、青色発光ダイオードが適用されても良いが、しかし代替又は追加として、例えば蛍光体の薄層を備えた青色発光ダイオードが使用される場合に、白色発光ダイオードが適用されても良く、例えば６０００Ｋの光ダイオードが適用されても良い。
【００６３】
照明ユニット１は、（内部入力される）光源光１２の一部が、第１の光出射面１１０及び第２の出射面１２０の１つ又は複数において、（外部出力される）光源光１３として導波路から逃げることを可能にするように更に構成される。第１の発光材料１４は、第１の光出射面１１０に隣接し、第１の発光材料光１４１を供給するように構成される。第２の発光材料２４は、第２の光出射面１２０に隣接し、第２の発光材料光２４１を供給するように構成される。第１の発光材料１４及び第２の発光材料２４は、（外部出力される）光源光１３によって励起可能である。
【００６４】
照明ユニット１は、動作中に、第１の光出射面１１０から離れる方向に照明ユニット１から発する第１の光１１１を供給するように、且つ第２の光出射面１２０から離れる方向に照明ユニット１から発する第２の光１２１を供給するように構成される。第１の光１１１は、（ｉ）（外部出力される）光源光１３、並びに（ｉｉ）第１の発光材料光１４１及び第２の発光材料光２４１の１つ又は複数、の１つ又は複数の寄与を含む。また、第２の光１２１は、（ｉｉｉ）（外部出力される）光源光１３、並びに（ｉｖ）第１の発光材料光１４１及び第２の発光材料光２４１の１つ又は複数の１つ又は複数の組み合わせを含む。第１の光１１１は、第１のスペクトル分布を有し、第２の光１２１は、第２のスペクトル分布を有し、第１のスペクトル分布及び第２のスペクトル分布は異なる。
【００６５】
図３ａは、照明ユニット１の実施形態を概略的に示し、第１の光出射面１１０は、第１の発光材料１４を含む複数の第１の発光材料領域１４２を含み、それ（領域１４２）は、第１の光出射面１１０の一部を覆う。各第１の発光材料領域１４２の下流に、第１の反射器１５１が配置される。第１の発光材料領域１４２は、第１の発光材料光１４１を発生するように構成される。第１の反射器１５１は、第１の発光材料光１４１の少なくとも一部を、第２の光出射面１２０から離れる方向で導波路１００の外に出力するように構成される。第２の光出射面１２０は、複数の第２の反射器１５２を含み、複数の第２の反射器１５２は、第２の光出射面１２０の一部を覆い、且つ（内部入力される）光源光の少なくとも一部を（外部出力される）光源光１３として、第１の光出射面１１０から離れる方向で導波路１００の外に出力するように構成される。
【００６６】
第１の光出射面１１０における第１の発光材料領域１４２の被覆率は、例えば、１〜５０％など、表面面積の０．１〜７５％の範囲であっても良い。特に、第１の反射器１５１は、（それぞれの）第１の発光材料領域１４２全体を覆うが、しかし（それぞれの）第１の発光材料領域１４２全体を越えては延びない。第２の光出射面１２０における第２の反射器１５２の被覆率は、例えば、２〜５０％など、表面面積の１〜７５％の範囲であっても良い。
【００６７】
この実施形態における反射器１５２など、反射器だけが使用される場合（反射器１５１は、発光材料領域１４２を付け加えられる）に、反射は、拡散反射であるのが好ましい。このように、光は、光が全内部反射（ＴＩＲ：total internal reflection）光路から逃げ、従って光導波路から引き出されるように、外角へ方向を変えられても良い。これはまた、以下で更に説明される実施形態に当てはまり得る。
【００６８】
ここで、第１の発光材料領域１４２は、導波路と物理的に接触し（ここで、隣接は、物理的な接触である）、第１の反射器１５１は、導波路の近くにあり（ここで、隣接は、近くである）、第１の発光材料領域１４２は、間にある。距離は、ｄで示されている。上記で示されているように、ｄは、例えば、１ｍｍ以下など、０〜５ｍｍの範囲であっても良い。
【００６９】
従って、第１の実施形態において、我々は、第１の側に配置された複数の第１の反射器と、第２の側に配置された発光材料を含む複数の第２の反射器と、を含む導波路を提案する。サイドライティングＬＥＤと組み合わせてかかる構成を用いれば、異なる色及び色温度が、様々な方向に生成され得る。
【００７０】
動作中、光源光１１は、導波路１００のエッジ１３０を介して（又は代替若しくは追加として、第１の光出射面１１０及び第２の出射面１２０の１つ若しくは複数を介して）導波路に入り、それによって、（内部入力される）光源光１２を供給する。この（内部入力される）光源光１２の一部は、第１の光出射面１１０を介して導波路１００の外へと、第２の反射器１５２によって反射され、それによって、第１の光１１１を供給し、第１の光１１１は、（外部出力される）光源光１３（例えば、青色発光ダイオードが使用された場合には青色光、又は例えば蛍光体の薄層を備えた青色発光ダイオードが使用された場合には例えば６０００Ｋの光）から実質的になっても良い。この（内部入力される）光源光１２の一部は、第１の発光材料領域１４２によって第１の発光材料光１４１に変換され、且つ第２の光出射面１２０を介して導波路１００の外に結合され、それによって、第２の光１２１を供給し、第２の光１２１は、第１の発光材料光１４１から実質的になっても良い。
【表１】
2014532975.tif 000003
【００７１】
図３ｂは、照明ユニット１の実施形態を概略的に示し、第１の光出射面１１０は、第１の発光材料１４を含む複数の第１の発光材料領域１４２を含み、複数の第１の発光材料領域１４２は、第１の光出射面１１０の一部を覆い、各第１の発光材料領域１４２の下流には第１の反射器１５１がある。第１の発光材料領域１４２は、第１の発光材料光１４１を発生するように構成される。第１の反射器１５１は、第１の発光材料光１４１の少なくとも一部を、第２の光出射面１２０から離れる方向で導波路１００の外に出力するように構成される。第２の光出射面１２０は、第２の発光材料２４を含む複数の第２の発光材料領域２４２を含み、複数の第２の発光材料領域２４２は、第２の光出射面１２０の一部を覆い、各第２の発光材料領域２４２の下流には第２の反射器１５２がある。第２の発光材料領域２４２は、第２の発光材料光２４１を発生するように構成される。第２の反射器１５２は、第２の発光材料光２４１の少なくとも一部を、第１の光出射面１１０から離れる方向で導波路１００の外に出力するように構成される。第１の光出射面１１０及び第２の光出射面１２０は、それぞれ、第１の発光材料領域１４２及び第２の発光材料領域（２４２）による被覆率が異なる。
【００７２】
第１の光出射面１１０における第１の発光材料領域１４２の被覆率は、例えば、１〜５０％など、表面面積の０．１〜７５％の範囲であっても良い。特に、第１の反射器１５１は、（それぞれの）第１の発光材料領域１４２全体を覆うが、（それぞれの）第１の発光材料領域１４２全体を越えては延びない。第２の出射面１２０における第２の発光材料領域２４２の被覆率は、例えば、１〜５０％など、表面面積の０．１〜７５％の範囲であっても良い。特に、第２の反射器１５２は、（それぞれの）第２の発光材料領域１４２全体を覆い、且つ（それぞれの）第２の発光材料領域１４２全体を越えて延びても良い。
【００７３】
第１の発光材料領域１４１を用いた、第１の光出射面１１０の被覆率及び第２の発光材料領域２４１を用いた、第２の出射面１２０の被覆率は異なる。例えば、被覆率の比率は、例えば２以上（又は０．５以下）であっても良い。
【００７４】
この実施形態において、第１及び第２の発光材料１４及び２４は、ほぼ同一であると考えられる。しかしながら、変形形態において、それらはまた、異なっても良い。
【００７５】
従って、第２の実施形態において、我々は、第１の側に配置される低濃度の発光材料を含む複数の第１の反射器と、第２の側に配置される高濃度の発光材料を含む複数の第２の反射器と、を含む導波路を提案する。この図３ｂは、発光材料の面積が変更される実施形態を示す。
【００７６】
動作中、光源光１１は、導波路１００のエッジ１３０（又は代替若しくは追加として、第１の光出射面１１０及び第２の出射面１２０の１つ又は複数）を介して導波路に入り、それによって、（内部入力される）光源光１２を供給する。この（内部入力される）光源光１２の一部は、第１の光出射面１１０を介して導波路１００の外へと、第２の反射器１５２によって反射され、それによって第１の光１１１を供給し、第１の光１１１は、（青色光などの）（外部出力される）光源光１３から部分的になっても良い。この（内部入力される）光源光１２の一部は、第２の発光材料領域１４２によって第２の発光材料光２４１に変換され、且つ第１の光出射面１１０を介して導波路１００の外に結合され、それによって第１の光１１１を供給し、第１の光１１１は、第２の発光材料光２４１から部分的になっても良い。この（内部入力される）光源光１２の一部は、第１の発光材料領域１４２によって第１の発光材料光１４１に変換され、第２の光出射面１２０を介して導波路１００の外に結合され、それによって第２の光１２１を供給し、第２の光１２１は、第１の発光材料光１４１から実質的になっても良い。
【表２】
2014532975.tif 000004
【００７７】
図３ｃは、実施形態を概略的に示し、第１の光出射面１１０は、第１の発光材料１４を含む複数の第１の発光材料領域１４２を含み、複数の第１の発光材料領域１４２は、第１の光出射面１１０の一部を覆い、各第１の発光材料領域１４２の下流には第１の反射器１５１がある。第１の発光材料領域１４２は、第１の発光材料光１４１を発生するように構成される。第１の反射器１５１は、第１の発光材料光１４１の少なくとも一部を、第２の光出射面１２０から離れる方向で導波路１００の外に出力するように構成される。第２の光出射面１２０は、第２の発光材料２４を含む複数の第２の発光材料領域２４２を含み、複数の第２の発光材料領域２４２は、第２の光出射面１２０の一部を覆い、各第２の発光材料領域２４２の下流には第２の反射器１５２がある。第２の発光材料領域２４２は、第２の発光材料光２４１を発生するように構成される。第２の反射器１５２は、第２の発光材料光２４１の少なくとも一部を、第１の光出射面１１０から離れる方向で導波路１００の外に出力するように構成される。この実施形態において、第１の発光材料領域１４２及び第２の発光材料領域２４２は、発光材料が異なる。これはまた、異なる方向における異なるタイプの光がどのように発生され得るかの例である。
【００７８】
第１の光出射面１１０における第１の発光材料領域１４２の被覆率は、例えば、１〜５０％など、表面面積の０．１〜７５％の範囲であっても良い。特に、第１の反射器１５１は、（それぞれの）第１の発光材料領域１４２全体を覆うが、（それぞれの）第１の発光材料領域１４２全体を越えては延びない。第２の出射面１２０における第２の発光材料領域２４２の被覆率は、例えば、１〜５０％など、表面面積の０．１〜７５％の範囲であっても良い。特に、第２の反射器１５２は、（それぞれの）第２の発光材料領域１４２全体を覆うが、（それぞれの）第２の発光材料領域１４２全体を越えては延びない。
【００７９】
第１の発光材料領域１４２を用いた、第１の光出射面１１０の被覆率及び第２の発光材料領域２４２を用いた、第２の出射面１２０の被覆率は、この概略的に示された実施形態ではほぼ同一であるが、しかしまた実施形態において異なっても良い。
【００８０】
この実施形態において、第１及び第２の発光材料１４及び２４は、異なると考えられる。別段の指示がない限り、第１の発光材料１４及び第２の発光材料２４は異なる。即ち、同一の光を用いた励起下で発光スペクトルにおける異なるスペクトル分布を提供する。異なる発光材料の例は、異なるペリレン誘導体である。しかしながら、０．５及び３ｍｏｌ％のＹＡＧ：Ｃｅ３＋の発光スペクトルが既に互いに異なり得るように、異なる活性剤濃度さえ、既に異なる発光材料につながり得る。
【００８１】
従って、別の実施形態において、我々は、第１の側に配置された第１の発光材料を含む複数の第１の反射器と、第２の側に配置された第２の発光材料を含む複数の第２の反射器と、を含む導波路を提案する。
【００８２】
動作中、光源光１１は、導波路１００のエッジ１３０を介して（又は代替若しくは追加として、第１の光出射面１１０及び第２の出射面１２０の１つ又は複数を介して）導波路に入り、それによって、（内部入力される）光源光１２を供給する。この（内部入力される）光源光１２の一部は、第２の発光材料領域２４２によって第２の発光材料光２４１に変換され、且つ第１の光出射面１１０を介して導波路１００の外に結合され、それによって第１の光１１１を供給し、第１の光１１１は、第２の発光材料光２４１から実質的になっても良い。この（内部入力される）光源光１２の一部は、第１の発光材料領域１４２によって第１の発光材料光１４１に変換され、且つ第２の光出射面１２０を介して導波路１００の外に結合され、それによって第２の光１２１を供給し、第２の光１２１は、第１の発光材料光１４１から実質的になっても良い。
【表３】
2014532975.tif 000005
【００８３】
図３ｄは、照明ユニット１の実施形態を概略的に示し、第１の光出射面１１０は、複数の第１の反射器１５１を含み、反射器１５１は、第１の光出射面１１０の一部を覆う。第２の光出射面１２０は、第２の発光材料２４を含む第２の発光材料層２４０を含み、第２の発光材料層２４０は、第２の光出射面１２０を覆う。第２の発光材料層２４０は、第２の発光材料光２４１を発生するように構成される。第１の反射器１５１は、（内部入力される）光源光１２の少なくとも一部を第２の発光材料層２４０に導くように、且つ（外部出力される）光源光１３を第２の光出射面１２０において供給するように構成される。第２の発光材料層２４０は、（外部出力される）光源光１３の一部に対して任意選択的に透過性である。
【００８４】
第１の光出射面１１０における第１の反射器１５１の被覆率は、例えば、１〜５０％など、表面面積の０．１〜７５％の範囲であっても良い。第２の光出射面１２０における第２の発光材料層２４０の被覆率は、少なくとも９５％、特に少なくとも９９％など、表面面積のほぼ１００％であっても良い。
【００８５】
従って、別の実施形態において、我々は、第１の側に配置された複数の第１の反射器と、第２の側に配置された発光層と、を含む導波路を提案する。
【００８６】
動作中、光源光１１は、導波路１００のエッジ１３０を介して（又は代替若しくは追加として、第１の光出射面１１０及び第２の出射面１２０の１つ又は複数を介して）導波路に入り、それによって、（内部入力される）光源光１２を供給する。この（内部入力される）光源光１２の一部は、第２の光出射面１２０を介して導波路１００の外へと、第１の反射器１５１によって反射され、且つ第２の発光材料層２４０を通して少なくとも部分的に透過され、それによって第２の光１２１を供給し、第２の光１２１は、（外部出力される）光源光１３（青色光など）から部分的になっても良い。この（内部入力される）光源光１２の一部は、第２の発光材料層２４０によって第２の発光材料光２４１に変換され、第１の光出射面１１０を介して導波路１００の外に結合され、それによって第１の光１１１を供給し、第１の光１１１は、第２の発光材料光２４１から実質的になっても良い。第２の発光材料光２４１の一部は、第２の面１２０から離れる方向に第２の発光材料層２４０から逃げ、それによって第２の光１２１を供給しても良く、第２の光１２１はまた、第２の発光材料光２４１から部分的になっても良い。
【表４】
2014532975.tif 000006
【００８７】
図３ｅは、照明ユニット１の実施形態を概略的に示し、第１の光出射面１１０は、第１の発光材料１４を含む複数の第１の発光材料領域１４２を含み、複数の第１の発光材料領域１４２は、第１の光出射面１１０の一部を覆い、各第１の発光材料領域１４２の下流には第１の反射器１５１がある。第１の発光材料領域１４２は、第１の発光材料光１４１を発生するように構成される。第２の光出射面１２０は、第２の発光材料２４を含む第２の発光材料層２４０を含み、第２の発光材料層２４０は、第２の光出射面１２０を覆う。第２の発光材料層２４０は、第２の発光材料光２４１を発生するように構成される。第１の発光材料領域１４２及び第１の反射器１５１は、第１の発光材料光１４１の少なくとも一部を、第２の光出射面１２０から離れる方向で導波路１００の外に出力するように構成される。第２の発光材料層２４０は、第１の発光材料光１４１の少なくとも一部に対して透過性であるのが好ましい。
【００８８】
第１の光出射面１１０における第１の発光材料領域１４２の被覆率は、例えば、１〜５０％など、表面面積の０．１〜７５の範囲であっても良い。特に、第１の反射器１５１は、（それぞれの）第１の発光材料領域１４２全体を覆うが、しかし（それぞれの）第１の発光材料領域１４２全体を越えては延びない。第２の光出射面１２０における第２の発光材料層２４０の被覆率は、少なくとも９５％、特に少なくとも９９％など、表面面積のほぼ１００％であっても良い。特に、第１及び第２の発光材料１４、２４は異なる。
【００８９】
特定の実施形態において、第２の発光材料２４が、第１の発光材料光１４１によってまた励起可能であっても良いことに留意されたい。特定の実施形態において、（外部出力される）光源光１３によって励起可能である代わりに、第２の発光材料は、第１の発光材料光１４１によって励起可能である。
【００９０】
従って、別の実施形態において、我々は、第１の側に配置された発光材料を含む複数の第１の反射器と、第２の側に配置された発光層と、を含む導波路を提案する。
【００９１】
動作中、光源光１１は、導波路１００のエッジ１３０を介して（又は代替若しくは追加として、第１の光出射面１１０及び第２の出射面１２０の１つ又は複数を介して）導波路に入り、それによって、（内部入力される）光源光１２を供給する。この（内部入力される）光源光１２の一部は、第１の発光材料領域１４２によって第１の発光材料光１４１に変換され、第２の光出射面１２０を介して導波路１００の外に結合され、且つ第２の発光材料層２４０を通して少なくとも部分的に透過され、それによって第２の光１２１を供給し、第２の光１２１は、第１の発光材料光１４１から部分的になっても良い。この（内部入力される）光源光１２の一部は、第２の発光材料層２４０によって第２の発光材料光２４１に変換され、第１の光出射面１１０を介して導波路１００の外に結合され、それによって第１の光１１１を供給し、第１の光１１１は、第２の発光材料光２４１から実質的になっても良い。第２の発光材料光２４１の一部は、第２の面１２０から離れる方向に、第２の発光材料層２４０から逃げても良く、それによって第２の光１２１を供給し、第２の光１２１はまた、第２の発光材料光２４１から部分的になっても良い。
【表５】
2014532975.tif 000007
【００９２】
図３ｆは、照明ユニット１の実施形態を概略的に示し、第１の光出射面１１０は、複数の第１の反射器１５１を含み、複数の第１の反射器１５１は、第１の光出射面１１０の一部を覆う。照明ユニット１は、第１の光出射面１１０の下流に構成された、第１の発光材料１４を含む第１の発光材料層１４０（箔など）を含む。第１の発光材料層１４０は、第１の発光材料光１４１を発生するように構成される。複数の第１の反射器１５１は、第１の光出射面１１０と第１の発光材料層１４０との間に構成される。第２の光出射面１２０は、複数の第２の反射器１５２を含み、複数の第２の反射器１５２は、第２の光出射面１２０の一部を覆う。第１の反射器１５１は、（内部入力される）光源光１２の少なくとも一部を、第２の光出射面１２０から離れる方向で導波路１００の外に出力するように構成される。第２の反射器１５２は、（内部入力される）光源光１２の少なくとも一部を第１の発光材料層１４０に導くように、且つ（外部出力される）光源光１３を第１の光出射面１１０において供給するように構成される。第１の発光材料層１４０は、（外部出力される）光源光１３の一部に対して任意選択的に透過性である。
【００９３】
第１の光出射面１１０における第１の反射器１５１の被覆率は、例えば、１〜５０％など、表面面積の０．１〜７５％の範囲であっても良い。第２の光出射面１２０における第２の反射器１５２の被覆率は、例えば、１〜５０％など、表面面積の０．１〜７５％の範囲であっても良い。
【００９４】
第１の光出射面１１０の第１の発光材料層１４０を用いた「被覆率」（それは、第１の光出射面１１０から幾らかの距離ｄにあっても良い）は、少なくとも９５％、特に少なくとも９９％など、表面面積のほぼ１００％であっても良い。
【００９５】
従って、更に別の実施形態において、我々は、第１の側に配置された発光箔を含む複数の第１の反射器と、第２の側に配置された複数の第２の反射器と、を含む導波路を提案する。
【００９６】
動作中、光源光１１は、導波路１００のエッジ１３０を介して（又は代替若しくは追加として、第１の光出射面１１０及び第２の出射面１２０の１つ又は複数を介して）導波路に入り、それによって、（内部入力される）光源光１２を供給する。この（内部入力される）光源光１２の一部は、第２の光出射面１２０を介して導波路１００の外へと、第１の反射器１５１によって反射され、それによって第２の光１２１を供給し、第２の光１２１は、（外部出力される）光源光１３（青色光など）から実質的になっても良い。この（内部入力される）光源光１２の一部は、第１の光出射面１１０を介して導波路１００の外へと、第２の反射器１５２によって反射され、第１の発光材料層１４０によって含まれる第１の発光材料１４を励起し、それによって第１の光１１１を供給し、第１の光１１１は、第１の発光材料光１４１及び任意選択的に、（外部出力される）光源光１３（第１の発光材料層１４１が、この光に対して透過性である場合）から実質的になっても良い。
【表６】
2014532975.tif 000008
【００９７】
図３ｇは、照明ユニット１の実施形態を概略的に示し、第１の光出射面１１０は、複数の第１の反射器１５１を含み、複数の第１の反射器１５１は、第１の光出射面１１０の一部を覆う。照明ユニット１は、第１の光出射面１１０の下流に構成された、第１の発光材料１４を含む第１の発光材料層１４０（箔など）を更に含む。第１の発光材料層１４０は、第１の発光材料光１４１を発生するように構成される。複数の第１の反射器１５１は、第１の光出射面１１１と第１の発光材料層１４０との間に構成される。第２の光出射面１２０は、複数の第２の反射器１５２を含み、複数の第２の反射器１５２は、第２の光出射面１２０の一部を覆う。照明ユニット１は、第２の光出射面１２０の下流に構成された、第２の発光材料２４を含む第２の発光材料層２４０（箔など）を更に含む。第２の発光材料層２４０は、第２の発光材料光２４１を発生するように構成される。複数の第２の反射器１５２は、第２の光出射面１２０と第２の発光材料層２４０との間に構成される。第１の反射器１５１は、（内部入力される）光源光１２の少なくとも一部を第２の発光材料層２４０に導き、（外部出力される）光源光１３を第２の光出射面１２０において供給するように構成される。第２の発光材料層２４０は、（外部出力される）光源光１３の一部に対して任意選択的に透過性である。第２の反射器１５２は、（内部入力される）光源光１２の少なくとも一部を第１の発光材料層１４０に導き、（外部出力される）光源光１３を第１の光出射面１１０において供給するように構成される。第１の発光材料層１４０は、（外部出力される）光源光１３の一部に対して任意選択的に透過性である。
【００９８】
第１の光出射面１１０における第１の反射器１５１の被覆率は、例えば、１〜５０％など、表面面積の０．１〜７５％の範囲であっても良い。第２の光出射面１２０における第２の反射器１５２の被覆率は、例えば、１〜５０％など、表面面積の０．１〜７５％の範囲であっても良い。
【００９９】
第１の光出射面１１０の第１の発光材料層１４０を用いた「被覆率」（それは、第１の光出射面１１０から幾らかの距離ｄにあっても良い）は、少なくとも９５％、特に少なくとも９９％など、表面面積のほぼ１００％であっても良い。第２の光出射面１２０の第２の発光材料層２４０を用いた「被覆率」（それは、第２の光出射面１２０から幾らかの距離ｄにあっても良い）は、少なくとも９５％、特に少なくとも９９％など、表面面積のほぼ１００％であっても良い。
【０１００】
従って、更に別の実施形態において、我々は、第１の側に配置された発光箔を含む複数の第１の反射器と、第２の側に配置された第２の発光箔を含む複数の第２の反射器と、を含む導波路を提案する。
【０１０１】
動作中、光源光１１は、導波路１００のエッジ１３０を介して（又は代替若しくは追加として、第１の光出射面１１０及び第２の出射面１２０の１つ又は複数を介して）導波路に入り、それによって、（内部入力される）光源光１２を供給する。この（内部入力される）光源光１２の一部は、第２の光出射面１２０を介して導波路１００の外へと、第１の反射器１５１によって反射され、第２の発光材料層２４０によって含まれる第２の発光材料２４を励起し、それによって第２の光１２１を供給し、第２の光１２１は、第２の発光材料光２４１及び任意選択的に、（外部出力される）光源光１３（第２の発光材料層２４１が、この光に対して透過性である場合）から実質的になっても良い。この（内部入力される）光源光１２の一部は、第１の光出射面１１０を介して導波路１００の外へと、第２の反射器１５２によって反射され、第１の発光材料層１４０によって含まれる第１の発光材料１４を励起し、それによって第１の光１１１を供給し、第１の光１１１は、第１の発光材料光１４１及び任意選択的に、（外部出力される）光源光１３（第１の発光材料層１４１が、この光に対して透過性である場合）から実質的になっても良い。
【表７】
2014532975.tif 000009
【０１０２】
図３ｈは、照明ユニット１の実施形態を概略的に示し、第１の光出射面１１０は、第１の発光材料１４を含む第１の発光材料層１４０を含み、第１の発光材料層１４０は、第１の光出射面１１０を覆う。第１の発光材料層１４０は、第１の発光材料光１４１を発生するように構成される。第２の光出射面１２０は、複数の第２の反射器１５２を含み、複数の第２の反射器１５２は、第２の光出射面１２０の一部を覆う。照明ユニット１は、第２の光出射面１２０の下流に構成された、第２の発光材料２４を含む第２の発光材料層２４０を更に含む。第２の発光材料層２４０は、第２の発光材料光２４１を発生するように構成される。複数の第２の反射器１５２は、第２の光出射面１２０と第２の発光材料層２４０との間に構成される。第２の反射器１５２は、（内部入力される）光源光１２の少なくとも一部を第１の発光材料層１４０に導く（そして（外部出力される）光源光１３を第１の光出射面１１０において供給するように構成される。第１の発光材料層１４０は、（外部出力される）光源光１３の一部に対して任意選択的に透過性である）。第１の発光材料層１４０は、（内部入力される）光源光１２の少なくとも一部を第２の発光材料層２４０に導くように構成される（第２の発光材料層２４０は、（内部入力される）光源光１２の一部に対して任意選択的に透過性である）。
【０１０３】
第１の光出射面１１０における第１の発光材料層１４０の被覆率は、少なくとも９５％、特に少なくとも９９％など、表面面積のほぼ１００％であっても良い。第２の光出射面１２０における第２の反射器１５２の被覆率は、例えば、１〜５０％など、表面面積の０．１〜７５％の範囲であっても良い。
【０１０４】
第２の光出射面１２０の第２の発光材料層２４０を用いた「被覆率」（それは、第２の光出射面１２０から幾らかの距離ｄにあっても良い）は、少なくとも９５％、特に少なくとも９９％など、表面面積のほぼ１００％であっても良い。
【０１０５】
従って、更に別の実施形態において、我々は、第１の側に配置された第１の発光箔と、第２の側に配置された第２の発光箔を含む複数の第２の反射器と、を含む導波路を提案する。
【０１０６】
動作中、光源光１１は、導波路１００のエッジ１３０を介して（又は代替若しくは追加として、第１の光出射面１１０及び第２の光出射面１２０の１つ又は複数を介して）導波路に入り、それによって、（内部入力される）光源光１２を供給する。この（内部入力される）光源光１２の一部は、（外部出力される）光源光１３として、第１の光出射面１１０において外に出力し、第１の発光材料層１４０で反射されて第２の光出射面１２０を介し導波路１００の外に結合され、且つ第２の発光材料層２４０によって含まれる第２の発光材料２４を励起し、それによって第２の光１２１を供給し、第２の光１２１は、第２の発光材料光２４１から実質的になっても良い。代替又は追加として、この（内部入力される）光源光１２の一部は、（外部出力される）光源光１３として、第１の光出射面１１０において外に出力し、第１の発光材料光１４１を発生し、第１の発光材料光１４１は、第２の光出射面１２０の方向に移動して第２の光出射面１２０を介し導波路１００の外に結合されても良く、（ｉ）第２の発光材料層２４０によって含まれる第２の発光材料２４を励起し、それによって、第２の光１２１を供給し、第２の光１２１が、第２の発光材料光２４１から少なくとも部分的になっても良く、且つ／又は（ｉｉ）第２の発光材料層２４０を通して透過され、それによって第２の光１２１を供給しても良く、第２の光１２１がまた、第１の発光材料光１４１から少なくとも部分的になっても良い。この（内部入力される）光源光１２の一部は、第１の光出射面１１０を介して導波路１００の外へと、第２の反射器１５２によって反射され、第１の発光材料層１４０によって含まれる第１の発光材料１４を励起し、それによって第１の光１１１を供給し、第１の光１１１は、第１の発光材料光１４１及び任意選択的に、（外部出力される）光源光１３（第１の発光材料層１４１が、この光に対して透過性である場合）から実質的になっても良い。
【表８】
2014532975.tif 000010
【０１０７】
図３ｉは、照明ユニット１の実施形態を概略的に示し、第１の光出射面１１０は、第１の発光材料１４を含む複数の第１の発光材料領域１４２、及び複数の第１の反射器１５１を含み、第１の発光材料領域１４２及び複数の第１の反射器１５１は、第１の光出射面１１０の一部を覆う。第２の光出射面１２０は、第２の発光材料２４を含む複数の第２の発光材料領域２４２、及び複数の第２の反射器１５２を含み、第２の発光材料領域２４２及び複数の第２の反射器１５２は、第２の光出射面１２０の一部を覆う。照明ユニット１は、第１の反射器１５１及び第２の発光材料領域２４２の第１の対３１を含み、各第１の対３１に関し、第１の反射器１５１及び第２の発光材料領域２４２は、間の導波路１００に対して互いに反対側に構成される。照明ユニット１は、代替又は追加として、第２の反射器１５２及び第１の発光材料領域１４２の第２の対３２を含み、各第２の対３２に関し、第２の反射器１５２及び第１の発光材料領域１４２は、間の導波路１００に対して互いに反対側に構成される。
【０１０８】
第１の光出射面１１０における第１の発光材料領域１４２及び第１の反射器１５１の被覆率は、例えば、１〜５０％など、表面面積の０．１〜７５％の範囲であっても良い。第２の光出射面１２０における第２の発光材料領域２４２及び第２の反射器１５２の被覆率は、例えば、１〜５０％など、表面面積の０．１〜７５％の範囲であっても良い。
【０１０９】
本明細書で示されているように、特定の実施形態において、対において反対側の領域によって占められる表面面積は、付随する（反対側の）反射器によって占領された表面面積より小さい。
【０１１０】
従って、更に別の実施形態において、我々は、第２の側に配置された発光ドットと整列された、第１の側に配置された複数の第１の反射器と、第１の側に配置された発光ドットと整列された、第２の側に配置された複数の第２の反射器と、を含む導波路を提案する。
【０１１１】
動作中、光源光１１は、導波路１００のエッジ１３０を介して（又は代替若しくは追加として、第１の光出射面１１０及び第２の出射面１２０の１つ又は複数を介して）導波路に入り、それによって、（内部入力される）光源光１２を供給する。
【０１１２】
この（内部入力される）光源光１２の一部は、第２の光出射面１２０を介して導波路１００の外へと、第１の反射器１５１によって反射され、且つ第２の発光材料２４を少なくとも部分的に励起して第２の発光材料光２４１を供給し、この第２の発光材料光２４１の一部は、第２の光出射面１２０から離れる方向に移動し、それによって、第２の光１２１を供給しても良く、第２の光１２１は、第２の発光材料光２４１から実質的になっても良い。この第２の発光材料光２４１の一部は、第１の光出射面１１０の方向に移動し、導波路１００から逃げても良いが、しかし第２の光出射面１２０の方向に、第１の反射器１５１によって少なくとも部分的に反射され、それによって、第２の光１２１に対して更に寄与しても良い。これは、第１の対３１に関係する。
【０１１３】
この（内部入力される）光源光１２の一部は、第１の光出射面１１０を介して導波路１００の外へと、第２の反射器１５２によって反射され、且つ第１の発光材料１４を少なくとも部分的に励起して第１の発光材料光１４１を供給し、この第１の発光材料光の一部は、第１の光出射面１１０から離れる方向に移動し、それによって第１の光１１１を供給しても良く、第１の光１１１は、第１の発光材料光から実質的になっても良い。この第１の発光材料光の一部は、第２の光出射面１２０の方向に移動し、導波路１００から逃げても良いが、しかし第１の光出射面１１０の方向に、第２の反射器１５２によって少なくとも部分的に反射され、それによって、第１の光１１１に更に寄与しても良い。これは、第２の対３２に関係する。従って、以下の表が得られる。
【表９】
2014532975.tif 000011
【０１１４】
本明細書において上記で提案された構成は、複数の反射器を含む。更なる実施形態において、我々は、格子、屈折構造、及び半透明散乱ドットなどの他の光抽出構造の使用を提案する。例えば、我々は、第２の側に配置された発光ドットと整列された、第１の側に配置された複数の第１の反射器と、第１の側に配置された複数の粗面領域と、を含む導波路を提案する。
【０１１５】
図３ｊは、例えば、照明ユニット１の実施形態を示し、導波路１００の第１の面１１０は、ここでは粗面処理（単複）を含む代替反射構造２５０を更に含む。
【０１１６】
実施形態において、第１の反射器（存在すれば）の１つ又は複数及び第２の反射器（存在すれば）の１つ又は複数は、鏡面反射器である。任意選択的に又は追加として、第１の反射器（存在すれば）の１つ又は複数及び第２の反射器（存在すれば）の１つ又は複数は、拡散反射器である。例えば、第１の反射器（存在すれば）の１つ又は複数及び第２の反射器（存在すれば）の１つ又は複数は、格子、屈折構造、粗面処理、及び散乱ドットからなる群から選択される反射器を含む。かかる反射器は、光出射面（単複）上に付加されるか又は光出射面（単複）内に組み込まれても良い。
【０１１７】
特に、第１の反射器（存在すれば）の１つ又は複数及び第２の反射器（存在すれば）の１つ又は複数は、（ａ）ミラー、格子、及び屈折構造からなる群から選択される反射器、並びに（ｂ）任意選択的に粗面処理及び散乱ドットからなる群から選択される１つ又は複数の反射器を含む。
【０１１８】
実施形態において、第１の反射器（存在すれば）の１つ又は複数及び第２の反射器（存在すれば）の１つ又は複数は、光（（外部出力される）光源光１３など）の一部を透過するように、且つ光（（外部出力される）光源光１３など）の一部を反射するように構成されても良い。かかるタイプの反射器は、代替反射構造２５０として図３ｊに示されている。上記に示されているように、好ましくは、第２の反射器（存在すれば）の１つ又は複数は、ミラー、格子、及び屈折構造からなる群から選択される反射器を含む。
【０１１９】
図３ｋは、照明ユニット１の実施形態を概略的に示し、第１の光出射面１１０は、第１の発光材料１４を含む複数の第１の発光材料領域１４２を含み、複数の第１の発光材料領域１４２は、第１の光出射面１１０の一部を覆い、各第１の発光材料領域１４２の下流には第１の反射器１５１がある。第１の発光材料領域１４２は、第１の発光材料光１４１を発生するように構成される。第２の光出射面１２０は、第２の発光材料２４を含む第２の発光材料層２４０を含む切り替え可能な発光層システム３００を含み、それ（切り替え可能な発光層システム３００）は、第２の光出射面１２０を覆い、切り替え可能な発光層システム３００の下流には複数の第２の反射器１５２があり、複数の第２の反射器１５２は、切り替え可能な発光層システム３００の一部を覆う。第２の発光材料層２４０は、第２の発光材料光２４１を発生するように構成される。第１の発光材料領域１４２及び第１の反射器１５１は、第１の発光材料光１４１の少なくとも一部を、第２の光出射面１２０から離れる方向で導波路１００の外に出力するように構成され、切り替え可能な発光層システム３００は、第１の発光材料光１４１の少なくとも一部に対して透過性である。切り替え可能な発光層システム３００は、低強度の発光材料光２４１を備えた第１の状態と高強度の発光材料光２４１を備えた第２の状態との間で切り替え可能である。当業者には明らかなように、第２の光出射面１２０における切り替え可能な発光層システム３００の代わりに、又はそれに追加して、かかるシステムは（また）、第１の光出射面１１０に存在しても良い。
【０１２０】
第１の光出射面１１０における第１の発光材料領域１４２の被覆率は、例えば、１〜５０％など、表面面積の０．１〜７５％の範囲であっても良い。特に、第１の反射器１５１は、（それぞれの）第１の発光材料領域１４２全体を覆うが、しかし（それぞれの）第１の発光材料領域１４２全体を越えては延びない。第２の出射面１２０における発光層システム３００の被覆率は、少なくとも９５％、特に少なくとも９９％など、表面面積のほぼ１００％であっても良い。発光層システム３００における第２の発光材料領域２４２の被覆率は、例えば、１〜５０％など、表面面積の０．１〜７５％の範囲であっても良い。
【０１２１】
特に、第１及び第２の発光材料１４、２４は、異なる。
【０１２２】
特定の実施形態において、第２の発光材料２４がまた、第１の発光材料光１４１によって励起可能であっても良いことに留意されたい。特定の実施形態において、（外部出力される）光源光１３によって励起可能である代わりに、第２の発光材料は、第１の発光材料光１４１によって励起可能である。
【０１２３】
従って、別の実施形態において、我々は、第１の側に配置された発光材料を含む複数の第１の反射器と、第２の側に配置された切り替え可能な発光層と、を含む導波路を提案する。かかる切り替え可能な発光層は、例えば、発光材料を含む高分子分散型液晶（ＰＤＬＣ：Polymer Dispersed Liquid Crystal）要素、発光材料を含む液晶ゲル（ＬＣゲル）、発光材料を含むエレクトロウェッティング装置、又は発光材料を含む面内スイッチング電気泳動装置とすることができる。
【０１２４】
動作中、光源光１１は、導波路１００のエッジ１３０を介して（又は代替若しくは追加として、第１の光出射面１１０及び第２の出射面１２０の１つ又は複数を介して）導波路に入り、それによって、（内部入力される）光源光１２を供給する。この（内部入力される）光源光１２の一部は、第１の発光材料領域１４２によって第１の発光材料光１４１に変換され、第２の光出射面１２０を介して導波路１００の外に結合され、（第１及び第２の状態で）発光層システム３００を通して少なくとも部分的に透過され、第２の光１２１を供給し、第２の光１２１は、第１の発光材料光１４１から部分的になっても良い。第１の状態（ここでは、発光材料を含むＰＤＬＣ装置の場合に、Ｕ＝０Ｖで示されている）において、この（内部入力される）光源光１２の一部は、第２の発光材料層２４０によって第２の発光材料光２４１に変換され、（下流の）第２の反射器１５２によって、第１の光出射面１１０の方向に反射され、第１の光出射面１１０を介して導波路１００の外に結合され、それによって第１の光１１１を供給し、第１の光１１１は、第２の発光材料光２４１から実質的になっても良い。第２の発光材料光２４１の一部は、第２の面１２０から離れる方向に発光層システム３００から逃げても良く、それによって第２の光１２１を供給し、第２の光１２１はまた、第２の発光材料光２４１から部分的になっても良い。第２の状態（ここでは、発光材料を含むＰＤＬＣ装置の場合に、Ｕ＝Ｖで示されている）において、この（内部入力される）光源光１２の一部は、第２の発光材料層２４０によって少なくとも部分的に透過され、（下流の）第２の反射器１５２によって、第１の光出射面１１０の方向に反射され、第１の光出射面１１０を介して導波路１００の外に結合され、それによって、第１の光１１１を供給し、第１の光１１１は、（外部出力される）光源光１３から実質的になっても良い。従って、以下の表が提供され得る。
【表１０】
2014532975.tif 000012
【０１２５】
例えばＵ＝０Ｖ  ＰＤＬＣ光変換状態、Ｕ＝０Ｖ  ＰＤＬＣ光透過状態、Ｕ＝０Ｖ  ＬＣゲル光透過状態、Ｕ＝０Ｖ  ＬＣゲル光変換状態など、切り替え特性が、異なる電子光学装置に対して異なっても良いことに留意されたい。
【０１２６】
図３ａ〜３ｋに概略的に示されている実施形態はまた、場合によっては組み合わされても良い。例えば、図３ａ、３ｂ、３ｃ、３ｉ及び３ｊに概略的に示されている実施形態の２つ以上が組み合わされても良く、又は図３ｄ及び３ｅに概略的に示されている実施形態の２つ以上が組み合わされても良い等である。
【０１２７】
とりわけ上記で説明された実施形態に関して、例えば、４０００ＫのＣＣＴを有する第１の光１１１、及び２７００ＫのＣＣＴを有する第２の光１２１を供給することが可能であり得る。別の例において、第１の光１１１は、３０００ＫのＣＣＴを有し、第２の光１２１は、５０００ＫのＣＣＴを有する。好ましい実施形態において、第１の光１１１及び／又は第２の光１２１は、色空間（例えばＣＩＥ  ｘｙｚ色空間）において黒体軌跡に近い色点を有する。別の好ましい実施形態において、第１の光１１１及び／又は第２の光１２１は、色空間（例えばＣＩＥ  ｘｙｚ色空間）において黒体軌跡に近い色点を有し、８０より大きいＣＲＩを有する。近いということは、ＢＢＬ（黒体軌跡）から約１５ＳＤＣＭ（等色標準偏差）内、特にＢＢＬから約１０ＳＤＣＭ内、なお一層特別にはＢＢＬから約５ＳＤＣＭ内であることを特に意味しても良い。
【図１】
2014532975.tif 000013
【図２ａ】
2014532975.tif 000014
【図２ｂ】
2014532975.tif 000015
【図２ｃ】
2014532975.tif 000016
【図３ａ】
2014532975.tif 000017
【図３ｂ】
2014532975.tif 000018
【図３ｃ】
2014532975.tif 000019
【図３ｄ】
2014532975.tif 000020
【図３ｅ】
2014532975.tif 000021
【図３ｆ】
2014532975.tif 000022
【図３ｇ】
2014532975.tif 000023
【図３ｈ】
2014532975.tif 000024
【図３ｉ】
2014532975.tif 000025
【図３ｊ】
2014532975.tif 000026
【図３ｋ】
2014532975.tif 000027
【図３ｌ】
2014532975.tif 000028
【国際調査報告】
2014532975.tif 000029
2014532975.tif 000030
2014532975.tif 000031